(57)【特許請求の範囲】
【請求項１】
始動条件が成立することにより図柄変動表示器に複数の図柄が複数列にて動画状に流れる如くに変動表示された後に各列が特定図柄で停止した場合に大当たりとなって可変入賞装置が継続的に開成状態となるパチンコ遊技機において、図柄変動表示器に各列の図柄が複数行表示されるようにするとともに、該図柄とは別途に変動し各列の図柄のうちの１つの図柄を指し示す変動マークを表示し、該変動マークの停止時期を図柄が停止するのと略同時期であって図柄が停止するよりも少し遅れて停止するよう設定し、該変動マークによって指し示された各列の図柄が特定図柄である場合に特典が付与されるようにしたことを特徴とするパチンコ遊技機。
【請求項２】
変動マークによって指し示された各列の図柄が特定図柄である場合に付与される特典は可変入賞装置を継続的に開成状態とする大当たりであることを特徴とした請求項１に記載のパチンコ遊技機。
【請求項３】
特定図柄は各列の図柄が同一であることとする請求項１または２に記載のパチンコ遊技機。
【発明の詳細な説明】
【０００１】
【発明の属する技術分野】
本発明は、図柄変動表示器に数字，記号等の複数の図柄が複数列にて流れる如くに変動表示された後、該各表示列の図柄の変動が停止し、各表示列とも同じ停止図柄となると大当たりが発生し特別遊技状態となって大入賞口が継続的に開かれ打球が非常に入賞し易くなるように構成されたパチンコ遊技機に関するものである。
【０００２】
【従来の技術】
「フィーバー機」と称される第１種パチンコ遊技機は、周知のように、遊技盤にカラー液晶ディスプレイ，ＣＲＴ等の図柄変動表示器が設けられ、始動口に打球が入ると、１〜８の数字および○，△，□，☆等の記号またはキャラクター等（以下、図柄という）が該図柄変動表示器に夫々上から下に流れる如くに３列で変動表示され、その表示の変動は数秒後に左列，右列，中列の順に停止し、その停止図柄が所定の確率で偶然性をもって例えば「７７７」，「☆☆☆」のように３列とも同じ図柄となった場合に大当たり（特別遊技状態）となり、可変入賞装置（大入賞口）の開閉扉が電動開閉装置の作動により開成状態となるようにしたもので、その開成状態の可変入賞装置に打球が所定個数（通常は１０個）入球するか、または開成状態で所定制限時間（通常は３０秒）が経過すると、いわゆる第１ラウンドが終わって該可変入賞装置は一旦は閉じるが、その第１ラウンド中に可変入賞装置内に設けられている継続入賞口（Ｖゾーンと称される）に打球が入球した場合には第２ラウンドが始まりすぐにまた該可変入賞装置が開かれ、開成状態となった可変入賞装置にまた打球が所定個数（通常は１０個）入球するか、または開成状態で所定制限時間（通常は３０秒）が経過すると、第２ラウンドが終わって該可変入賞装置はまた閉じるが、その第２ラウンド中に可変入賞装置内に設けられている継続入賞口（Ｖゾーンと称される）に打球が入球した場合には第３ラウンドが始まりすぐにまた該可変入賞装置が開かれ、こうして各ラウンド中に継続入賞口に打球が入賞したことを条件として最終ラウンド（例えば第１６ラウンド）になるまで該可変入賞装置が継続的に開かれるようにしている。このように特別遊技状態の期間中に可変入賞装置の開閉扉が所定ラウンド数を限度として継続的に開かれ打球が極めて入り易い状況が続くので多数の景品球を獲得できて遊技者に多くの利益がもたらされるものである。
【０００３】
また、上記変動表示は、通常は左列，右列，中列の順に停止するが、左列と右列が同じ図柄で停止した場合は、中列が一旦は違う図柄に停止しても再び逆方向等に流れ、結局は総て同一図柄で停止し大当たりとなったり、或いはまた違う図柄でしか停止しなかったりする表示（一般に「リーチ状態」と称されている）がなされている。
【０００４】
しかしながら、この種のパチンコ遊技機は、最終的に例えば「７７７」，「☆☆☆」のように３列とも同じ図柄に揃うがどうかが遊技者の関心事となるだけであって、いずれの遊技機もこの点に関して大きな差異はないので、次第に飽きられ、遊技がマンネリ化する状況であった。
【０００５】
【発明が解決しようとする課題】
本発明はこのようなパチンコ遊技のマンネリ化を防止し、パチンコ遊技の娯楽性を維持，増大させようとするものである。
【０００６】
【課題を解決するための手段】
そのために本発明のパチンコ遊技機は、始動条件が成立することにより図柄変動表示器に複数の図柄が複数列にて動画状に流れる如くに変動表示された後に各列が特定図柄で停止した場合に大当たりとなって可変入賞装置が継続的に開成状態となるパチンコ遊技機において、図柄変動表示器に各列の図柄が複数行表示されるようにするとともに、該図柄とは別途に変動し各列の図柄のうちの１つの図柄を指し示す変動マークを表示し、該変動マークの停止時期を図柄が停止するのと略同時期であって図柄が停止するよりも少し遅れて停止するよう設定し、該変動マークによって指し示された各列の図柄が特定図柄である場合に特典が付与されるようにしたことを特徴とする。
また本発明は上記パチンコ遊技機において、変動マークによって指し示された各列の図柄が特定図柄である場合に付与される特典は可変入賞装置を継続的に開成状態とする大当たりであることを特徴とする。
また本発明は上記パチンコ遊技機において、特定図柄は各列の図柄が同一であることを特徴とする。
【０００７】
【発明の実施の形態】
次に図面に従い本発明の実施の形態を説明する。図１にこのパチンコ遊技機における遊技盤１の正面を示し、図中、２は該遊技盤１上に設けられたカラー液晶ディスプレイからなる図柄変動表示器、３は普通入賞口、４は通過ゲート、５は始動口、６は該始動口５の下方に設けられた大きな長方形状の大入賞口からなる可変入賞装置、７は該可変入賞装置にソレノイドの作動により開閉動するよう設けられた開閉扉、８は該可変入賞装置内の中央部に形成された継続入賞口である。
【０００８】
また図２はこのパチンコ遊技機の本発明に関連する遊技制御回路基板９と図柄制御回路基板１０の要部を示したブロック図で、遊技制御回路基板９はＣＰＵとＲＡＭと遊技制御ＲＯＭと入出力回路部とからなり、該入出力回路部に前記始動口５に入賞した打球を検出する始動スイッチ１１と前記可変入賞装置６への入賞球を計数するスイッチ１２と、前記継続入賞口８への入賞球を検出するスイッチ１３と、可変入賞装置６の開閉扉を開閉動させるソレノイド１４が接続されている。また、図柄制御回路基板１０はＣＰＵとＲＡＭと図柄制御ＲＯＭと図柄情報ＲＯＭと入出力回路部とからなり、該入出力回路部に前記図柄変動表示器２が接続され、図柄情報ＲＯＭには、１〜８の数字および○，△，□，☆等の記号またはキャラクター等（以下、図柄という）が記憶されている。
【０００９】
次にこのパチンコ遊技機の作動を図３のフローチャートに従い説明する。遊技中に打球が始動口５に入賞し始動スイッチ１１により検出されることで始動条件が成立する。（ステップａ）。そしてステップｂにて大当たりの成否を決する乱数およびその形態を決する乱数が取得される。
【００１０】
そして、ステップｃに移行すると、図４（イ）に示したように図柄変動表示器２に１〜８の数字および○，△，□，☆等の図柄ｚが左列と中列と右列の３列にて上から下に流れる如くに変動表示される。なお、図柄変動表示器２には図示したように各列の図柄ｚが同時に３行分表示し得る高さ幅を持つ。また、ｍは各列の図柄のうちの１つの図柄を四角形枠にて囲むことによって指示し得るように表示される変動マークで、該変動マークは該図柄とは別途に列方向に変動する。（ステップｄ）。なお、変動マークｍは図４（ロ）に示したように図柄変動表示器の高さ幅内にて列方向（上下）にランダムに変動し得る。
【００１１】
そして、数秒後に各列の図柄ｚの変動は停止（ステップｅ）し、変動マークｍの変動も停止する。（ステップｆ）。そしてステップｇにて各列が上記取得乱数に従い偶然性をもって特定図柄（この場合、全て同一図柄）にて停止したかどうかが判定される。またステップｈでは変動マークｍによって指し示された図柄が特定図柄（この場合、全て同一図柄）であるかどうかが判定される。そして図４（ハ）に示したようにいずれも特定図柄でない場合はステップａに戻る。また、図４（ニ）に示したように各列が全て同一図柄で停止した場合、あるいは、図４（ホ）に示したように変動マークｍによって指し示された図柄が全て同一図柄である場合は、ステップｉに移行して大当たり動作が指令され、可変入賞装置６が繰り返し開成状態となり該可変入賞装置への打球の入賞を容易ならしめ一時に多数の景品球が払い出されるようになる。
【００１２】
なお、図柄の停止時期と変動マークの停止時期とは必ずしも同時でなくてもよく、例えば変動マークの停止時期を少し遅らせることにより、図５（イ）に示したように各列が一旦は同一図柄で停止しなかったとしても、その後の変動マークｍの変動により図５（ロ）示したように指し示された図柄が同一となり、大当たりとなるようにすることができる。
【００１３】
また、図６（イ）に示したように、左列と右列とが同一図柄で停止し、しかもその両図柄の「７」が変動マークｍによって指し示され、中列が未だ変動中であるような場合は、図６（ロ）に示したように、中列が同一図柄で停止すれば大当たりとなるだけでなく、たとえ同一図柄で停止しなくても図６（ハ）に示したように、変動マークｍが「７」を指し示せば大当たりとなるので、大当たりとなる確率が大幅に高くなり、大当たりへの期待感が大きく上昇する。
【００１４】
なお、変動マークｍによって指し示された図柄が同一の場合に、上記のように大当たりにする特典を付与するに限らず、大当たりの確率を上昇させたり、可変入賞装置の開時間を延長させるなど、その他の種々の特典が付与されるようにしてもよい。また、図柄の種類によって特典付与の大小が決められるようにすることもできる。
【００１５】
また、特典を付与するための条件となる特定図柄は、上記実施形態のように同一図柄とするだけでなく、予め決められた特定の図柄の組み合わせとしてもよい。
【００１６】
【発明の効果】
このように本発明のパチンコ遊技機は、図柄変動表示器に各列の図柄が複数行表示されるようにするとともに、該図柄とは別途に変動し各列の図柄のうちの１つの図柄を指し示す変動マークを表示し、該変動マークの停止時期を図柄が停止するのと略同時期であって図柄が停止するよりも少し遅れて停止するよう設定し、該変動マークによって指し示された各列の図柄が特定図柄である場合に特典が付与されるようにしたので、大当たり等の特典が付与される態様が多様化し、パチンコ遊技の興趣，娯楽性を増大させる効果がある。
【図面の簡単な説明】
【図１】本発明に係るパチンコ遊技機の遊技盤の実施形態を示す正面図。
【図２】本発明に係るパチンコ遊技機の実施形態を示すブロック図。
【図３】本発明に係るパチンコ遊技機の実施形態を示すフローチャート。
【図４】図柄変動表示器に表示される図柄変動の説明図。
【図５】図柄変動表示器に表示される図柄変動の説明図。
【図６】図柄変動表示器に表示される図柄変動の説明図。
【符号の説明】
１        遊技盤
２        図柄変動表示器
５        始動口
６        可変入賞装置
９        遊技制御回路基板
１０      図柄制御回路基板
ｚ        図柄
ｍ        変動マーク
【図１】
0003889898.tif 000002
【図２】
0003889898.tif 000003
【図３】
0003889898.tif 000004
【図４】
0003889898.tif 000005
【図５】
0003889898.tif 000006
【図６】
0003889898.tif 000007